(57)【要約】【課題】モータによる内箱の昇降が可能で、内箱への収納物の出し入れ時、邪魔が邪魔にならず、さらに、内箱の上部にある収納物をよくみることができ使い勝手のよい扉付き昇降キャビネットを提供する。【解決手段】本扉付き昇降キャビネットは、外箱２と、内箱３と、この内箱３を昇降る昇降機構４と、外箱２の一部を構成し、内箱３の上昇収納時にこの内箱３の前面の全体あるいはその一部を覆う扉５と、内箱３を昇降に応動しかつ、内箱３の上昇収納状態において扉５を閉じた状態にし、内箱５の降下表出過程において扉５が垂直状態あるいはわずかな傾斜状態を保ったまま扉５の下端部５ａを上昇させるように移動させて開放状態を保たせ、内箱３の下降表出時に扉５が垂直状態あるいはわずかな傾斜状態を保ったまま開放状態を保たせる扉開閉機構を有する。【選択図】  図１
2006068459.tif 000002
【特許請求の範囲】
【請求項１】
外箱と、この外箱に昇降可能に収容され、下降時に前面が前記外箱から全体的に表出する内箱と、この内箱を昇降させかつ、モータおよびこのモータにより作動され前記内箱を吊す可撓性昇降部材を備える昇降機構と、前記外箱の一部を構成し、前記内箱の上昇収納時にこの内箱の前面の全体あるいはその一部を覆う扉と、前記内箱の昇降に応動しかつ、前記内箱の上昇収納状態において前記扉を閉じた状態にし、前記内箱の降下表出および上昇過程において前記扉を垂直状態あるいはわずかな傾斜状態に保ったまま扉の下端部を上昇させるように移動させて開放状態にし、前記内箱の下降表出時に前記扉を垂直状態あるいはわずかな傾斜状態に保ったまま開放状態を保たせる扉開閉機構を有することを特徴とする扉付き昇降キャビネット。
【請求項２】
前記扉開閉機構は、内箱の側面に取り付けられた作動部材と、この作動部材に非拘束状態で当接する非直線状の作動側面部を有しかつ、この作動側面部を介して作動部材により回動される作動用アームとからなる作動アーム機構および、一端が外箱に軸支され他端が扉に軸支された第１の開閉用アームと、第１の端部が外箱に軸支され第２の端部が扉に軸支され、第３の端部が前記作動用アームに軸支された第２の開閉用アームからなる開閉アーム機構を有することを特徴とする請求項１項に記載の扉付き昇降キャビネット。
【請求項３】
前記内箱が下降表出した前記扉の開放状態時、この扉下部は前記内箱の上板内側の高さとほぼ同じかより上部になることを特徴とする請求項１または２に記載の扉付き昇降キャビネット。
【請求項４】
前記第１の作動アームの作動側面部は、作動時、傾斜状態になる傾斜部と、変曲点を介して前記傾斜部と連なる垂直部を有し、前記内箱の下降過程で前記扉が閉じた状態から設定全開位置まで開くようにし、以降前記内箱の下降表出位置まで全開を維持し、上昇動作時は、下降動作時と逆の動作をすることを特徴とする請求項１ないし３のいずれか１項に記載の扉付き昇降キャビネット。
【請求項５】
前記第１アーム、第２アームあるいは第３アームの少なくとも一つに扉を閉じ状態方向に作用する弾性部材を設けたことを特徴とする請求項１ないし４のいずれか１項に記載の扉付き昇降キャビネット。
【請求項６】
前記第２アームあるいは第３アームに、外箱に取り付けられたガイドピンを案内する長孔円弧状のガイド溝が設けられたことを特徴とする請求項１ないし５のいずれか１項に記載の扉付き昇降キャビネット。
【請求項７】
前記外箱の一部を構成し、前記扉の上部に設けられる前板は、この前板及び予め取り付けられた前板止め具を、前記外箱の側面に取り付け前板止め具受に係合させ、この前板止め具受と前記前板止め具を螺着して、前記外箱に取り付けられていることを特徴とする請求項１ないし６のいずれか１項に記載の扉付き昇降キャビネット。
【発明の詳細な説明】
【技術分野】
【０００１】
本発明は扉付き昇降キャビネットに係り、特に扉の開閉動作を改良した扉付き昇降キャビネットに関する。
【背景技術】
【０００２】
従来、この種の扉付き昇降キャビネットとして、扉が設けられた外箱に内箱をモータにより昇降可能に設け、内箱の下降時にその内箱の前面が外箱から全体的に表出し得る如く構成し、内箱の上昇収納時にその内箱の前面を覆う扉は、外箱に連結したヒンジを介して上端を支点として下端側を前後方向に回動し得る構成としたものが知られている。
【０００３】
このような構成のものでは、内箱の昇降時に扉と前方突出状態の収納物とが干渉する危険を防止する手段が必要である。例えば食器乾燥機に適用した場合、扉の開度が不十分で、かつ内箱に収納した食器が前方に飛出している状態で内箱を上昇させると、食器が扉に衝突して破損する危険がある。
【０００４】
そのため、外箱は内箱の上昇収納時にその内箱の前面を覆う扉を有し、この扉は外箱に連結したヒンジを介して上端を支点として下端側を前後方向に回動し得る構成とし、さらに、扉と内箱とを複数のアームよりなるリンクによって連結し、扉が内箱の昇降に伴ってその上昇時には閉方向に、かつ下降時には開方向にそれぞれ回動できる構成とし、リンクは、内箱の上昇ストロークの途中位置で扉を最大開き角度位置で停止させる構成とした扉付き昇降キャビネットが提案されている（特許文献１、２）。
【０００５】
しかし、特許文献１、２のものは、内箱への収納物の出し入れ動作に扉の開き時の扉下部が前方へ大きく張出しているので邪魔になる。特に上部にある収納物の出し入れ動作には大きく開かないと見にくいなどの使い勝手の悪さがあり、改良の余地がある。
【０００６】
なお、特許文献３には、垂直状態を保ったまま開閉する扉に連動して、内箱を昇降させる昇降式収納装置が提案されているが、この装置は人手により扉を開閉し、内箱を昇降させるために重量のある収納物を収納するのに適さず、また、昇降が人手によるため装置を高所に設置するのに適さず、さらに、昇降棚の昇降に用いられる昇降ガイド機構が多数のリンク部材で構成されているため、モータによる内箱の昇降機構には適さない。
【特許文献１】特開２００４−１６７２０号公報
【特許文献２】特開２００２−９５５３４号公報
【発明の開示】
【発明が解決しようとする課題】
【０００７】
本発明は上述した事情を考慮してなされたもので、モータによる内箱の昇降が可能で、内箱への収納物の出し入れ時、扉が邪魔にならず、さらに、内箱の上部にある収納物をよくみることができ使い勝手のよい扉付き昇降キャビネットを提供することを目的とする。
【課題を解決するための手段】
【０００８】
上述した目的を達成するため、本発明に係る扉付き昇降キャビネットは、外箱と、この外箱に昇降可能に収容され、下降時に前面が前記外箱から全体的に表出する内箱と、この内箱を昇降させかつ、モータおよびこのモータにより作動され前記内箱を吊す可撓性昇降部材を備える昇降機構と、前記外箱の一部を構成し、前記内箱の上昇収納時にこの内箱の前面の全体あるいはその一部を覆う扉と、前記内箱の昇降に応動しかつ、前記内箱の上昇収納状態において前記扉を閉じた状態にし、前記内箱の降下表出および上昇過程において前記扉を垂直状態あるいはわずかな傾斜状態に保ったまま扉の下端部を上昇させるように移動させて開放状態にし、前記内箱の下降表出時に前記扉を垂直状態あるいはわずかな傾斜状態に保ったまま開放状態を保たせる扉開閉機構を有することを特徴とする。
【０００９】
好適には、前記扉開閉機構は、内箱の側面に取り付けられた作動部材と、この作動部材に非拘束状態で当接する非直線状の作動側面部を有しかつ、この作動側面部を介して作動部材により回動される作動用アームとからなる作動アーム機構および、一端が外箱に軸支され他端が扉に軸支された第１の開閉用アームと、第１の端部が外箱に軸支され第２の端部が扉に軸支され、第３の端部が前記作動用アームに軸支された第２の開閉用アームからなる開閉アーム機構を有する。
【００１０】
また、好適には、前記内箱が下降表出した前記扉の開放状態時、この扉下部は前記内箱の上板内側の高さとほぼ同じかより上方になる。
【００１１】
また、好適には、前記第１の作動アームの作動側面部は、作動時、傾斜状態になる傾斜部と、変曲点を介して前記傾斜部と連なる垂直部を有し、前記内箱の下降過程で前記扉が閉じた状態から設定全開位置まで開くようにし、以降前記内箱の下降表出位置まで全開を維持し、上昇動作時は、下降動作時と逆の動作をする。
【００１２】
また、好適には、前記第１アーム、第２アームあるいは第３アームの少なくとも一つに扉を閉じ状態方向に作用する弾性部材を設けた。
【００１３】
また、好適には、前記第２アームあるいは第３アームに、外箱に取り付けられたガイドピンを案内する長孔円弧状のガイド溝が設けられた。
【００１４】
また、好適には、前記外箱の一部を構成し、前記扉の上部に設けられる前板は、この前板及び予め取り付けられた前板止め具を、前記外箱の側面に取り付け前板止め具受に係合させ、この前板止め具受と前記前板止め具を螺着して、前記外箱に取り付けられている。
【発明の効果】
【００１５】
本発明に係る扉付き昇降キャビネットによれば、モータによる内箱の昇降が可能で、内箱への収納物の出し入れ時、扉が邪魔にならず、さらに、内箱の上部にある収納物をよくみることができ使い勝手のよい扉付き昇降キャビネットを提供することができる。
【発明を実施するための最良の形態】
【００１６】
以下、本発明に係る扉付き昇降キャビネットの一実施形態について添付図面を参照して説明する。なお、本実施形態はシステムキッチンにおける天井設置式の昇降式食器収納キャビネットとして適用したものである。
【００１７】
図１は、昇降式食器収納キャビネットの内箱が降下した状態の全体構成を示す斜視図であり、図２はその正面図であり、図３は側断面図であり、図４は内箱が収納状態にある昇降式食器棚の正面図であり、図５はその側断面図である。
【００１８】
図１乃至図５に示すように、本発明の一実施形態に係る昇降式食器収納キャビネット１は、外箱２と、この外箱２に昇降可能に収容され、下降時に前面が外箱２から全体的に表出する内箱３と、この内箱３を昇降させかつ、モータ４ａおよびこのモータ４ａにより作動され内箱３を吊す可撓性昇降部材例えばベルト４ｂを備える昇降機構４と、外箱２の一部を構成し、内箱３の上昇収納時にこの内箱３の前面の全体を覆う扉５と、この扉５の開閉を行なう扉開閉機構６を有している。
【００１９】
外箱２は、天板２ａ、前垂板２ｂ、両側板２ｃ、背板２ｄ等により構成され、下端全面および前面の前垂板２ｂ以外の部分が開口している。天板２ａの内面（下面）には部品支持用のフレーム７が設けられている。
【００２０】
上記扉５は、外箱２の前垂板２ｂの下方に設けられており、後に詳述するように、扉開閉機構６により扉５が垂直状態あるいはわずかな傾斜状態を保ったまま扉５の下端部５ａを上昇させるように移動される。なお、外箱２の前板２ｂの下端と扉５の上端には、左上がりの傾斜面２ｂ１、５ｂを設けて、扉５を閉じた状態で多少隙間があっても、図９に示すように、前板２ｂと扉５が重複状態となり、内箱３の内部が見えにくくなり、外観上見栄えが向上する。
【００２１】
内箱３は食器収納キャビネット本体を構成するもので、上板３ａ、下板３ｂ、両側板３ｃおよび背板３ｄにより前面が開口する形状とされ、内部に上下２段の食器類等の受具８を有している。この内箱３の両側板３ｃの外面間の寸法が、外箱２の両側板２ｃの内面間の寸法よりも僅かに小さく設定され、これら各側板２ｃ、３ｃ間にそれぞれ縦長な幅狭い側方空間９が形成されている。なお、内箱３の高さは外箱２より十分小さく、内箱３上方に機器スペースが形成されるようになっている。
【００２２】
内箱３は外箱２に上記昇降機構４により昇降可能に支持されている。この昇降機構４は、上記のようにモータ４ａおよびこのモータ４ａにより作動され内箱３を吊す可撓性昇降部材例えばベルト４ｂを備えており、モータ４ａは外箱２のフレーム７に取付けられ、モータ４ａにはギア等の動力伝達機構４ｃを介して巻取りドラム４ｄが連結され、さらに、ベルト４ｂがドラム４ｄに巻装され、ベルト４ｂを下方に案内するベルトローラ４ｅと、内箱３の上板３ａにブラケット４ｆを介して支持された内箱吊上げ用の吊上げローラ４ｇと、ベルト４ｂの端部をフレーム７部位で止着する止着具４ｈとを有している。
【００２３】
この昇降機構４のベルト４ｂは例えば２本構成であり、その各ベルト４ｂにより内箱３の左右２箇所が吊上げられる方式となっている。各ベルト４ｂは、一つの巻き取りドラム４ｄに同時に巻上げられ、それにより内箱３が常時一定姿勢で昇降することができる。なお、内箱３の両側板３ｃの外面部にそれぞれスライダ１０を設け、このスライダ１０が外箱２に設けられたガイドレール１１に案内されることにより、確実に内箱３の昇降時の姿勢を安定させることができるようになっている。
【００２４】
また、内箱３の下部前面には、上下動操作用の入力スイッチを作動させる操作レバー４ｉが設けられ、この操作レバー４ｉを下方に動かすと制御装置を介してモータ４ａを作動し、巻き取りドラム４ｄが回転して内箱３が下降し、操作レバー４ｉを上向きに動かすと内箱３が上昇するようになっている。
【００２５】
次に、扉５を駆動するための扉開閉機構６について詳述する。
【００２６】
図６に示すように、扉開閉機構６は、外箱２と内箱３間に一対設けられ、作動アーム機構６１と開閉アーム機構６２からなり、作動アーム機構６１は、昇降する内箱３の側板３ｃに取り付けられた作動部材例えば作動ローラ６１ａと、この作動ローラ６１ａに離間可能に非拘束状態で当接し第１の変曲点ｐ１、第２の変曲点ｐ２を有する非直線状の作動側面部６１ｂ１を有しかつ、一端近傍で外箱２に軸支され、作動側面部６１ｂ１を介して作動ローラ６１ａにより回動される作動用アーム６１ｂを有し、さらに、作動用アーム６１ｂの一端には図中反時計回り方向に付勢するスプリング６１ｂ４が取り付けられ、他端部近傍には直線状のガイド溝６１ｂ５が設けられている。
【００２７】
従って、作動ローラ６１ａは内箱３の昇降に伴って、作動側面部６１ｂ１の傾斜部６１ｂ２を押圧し、作動アーム６１ｂを回動させ、変曲点ｐ２から端部近傍の点ｐ３間の垂直部６１ｂ３では作動アーム６１ｂを回動させることなく、その回動角度を保つ。スプリング６１ｂ４を設けることにより、作動用アーム６１ｂが反時計回り方向に付勢され、扉５が閉塞状態に保持されるので、地震などにより内箱３が振動しても、食器類は扉５で動きが抑制され、落下することがなく、安全である。
【００２８】
また、開閉アーム機構６２は、ともにほぼ三角形状をなす第１の開閉用アーム６２ａと、第２の開閉用アーム６２ｂとからなっている。
【００２９】
第１の開閉用アーム６２ａは、一端が外箱２に軸支され他端が扉５に軸支され、さらに、外箱２に取り付けられたガイドピン６２ａ１を案内する長孔円弧状のガイド溝６２ａ２が設けられている。ガイド溝６２ａ２を設けることにより、扉開閉時の扉の横振れ防止と、扉の開き角度の規制が可能となり、地震などによる食器類の落下防止も図ることができる。
【００３０】
第２の開閉用アーム６２ｂは、第１の端部外箱２に軸支され、第２の端部が扉５に軸支され、さらに、第３の端部にはガイドピン６２ｂ１が設けられ、このガイドピン６２ｂ１を作動用アーム６１ｂのガイド溝６１ｂ５に係合させることにより、第２の開閉用アーム６２ｂと作動用アーム６１ｂが連結されている。
【００３１】
従って、外箱２に軸支された第１の開閉用アーム６２ａの軸支位置と第２の開閉用アーム６２ｂの軸支位置の長さ（距離）Ｌ１と、扉５に軸支された第１の開閉用アーム６２ａの軸支位置と第２の開閉用アーム６２ｂの軸支位置の長さ（距離）Ｌ２と、第１の開閉用アーム６２ａの腕（の長さ）Ｌ３と、第２の開閉用アーム６２ｂの腕（の長さ）Ｌ４で、フォーバーリンケージが形成される。これにより、作動アーム６１ｂの回動に伴ってガイド溝６１ｂ５、ガイドピン６２ｂ１を介して第２の開閉用アーム６２ｂが回動され、フォーバーリンケージにより扉５が垂直状態あるいはわずかな傾斜状態を保ったまま所定角度だけ回動するようになっている。ガイドピン６２ｂ１が移動可能なガイド溝６２ａを設けることにより、扉５を外箱２の開口に押し付けることができる。なお、第１の開閉用アーム６２ａの腕Ｌ３と第２の開閉用アーム６２ｂの腕Ｌの長さを同一にすれば、扉は水平状態を保ったまま回動し、Ｌ３＜Ｌ４にすれば、右上がり勾配の状態になり、本実施形態では、Ｌ３＜Ｌ４として説明する。
【００３２】
上記のように、扉は閉じ動作はその自重を利用したアーム構成としたので、構造が簡単であり、容易に扉の開閉を行なうことができる。
【００３３】
図９乃至図１１は外箱２の一部を構成し、扉５の上部に設けられる前板２ｂの取付け状態を示すもので、この前板２ｂは予め取り付けられた前板止め具２ｂ２を、外箱２の側面２ｃに取り付けられた前板止め具受２ｂ３に係合させて仮止めし、この前板止め具受２ｂ３と前板止め具２ｂ２を螺着して、外箱２に取り付けるようになっている。これにより、組立が容易で特に昇降機構のメンテナンスの際などに前板を取り外し取り付ける作業が必要となるが、前板が前方から仮止めできるので一人でも簡単に行える。
【００３４】
また、本発明に係る昇降式食器収納キャビネットの使用方法について説明する。
【００３５】
図４及び図５に示すように、使用者は、食器類の出し入れを行なうために、外箱２内に収容された状態の内箱３を降下させ、内箱３を外箱２から全体的に表出させる。
【００３６】
この内箱３の降下は、操作レバー４ｉ、制御装置４ｊを介してモータ４ａを駆動させて、巻き取りドラム４ｄを回転させ、ベルト４ｂを送り出し、主として内箱３の重量により行なわれる。
【００３７】
図７および図８に示すように、内箱３の降下に伴って、内箱３の側板３ｃに取り付けられ、作動アーム６１ｂの変曲点ｐ１に当接している作動ローラ６１ａも降下し、変曲点ｐ２に達する迄の傾斜部６１ａ２に当接している間、作動ローラ６１ａは作動アーム６１ｂをスプリング６１ｂ４に抗して図中時計周り方向に回動させる。
【００３８】
この作動アーム６１ｂの回動に伴い、開閉アーム機構６２はフォーバーリンケージの動きをなし、第１の開閉用アーム６２ａおよび第２の開閉用アーム６２ｂが外箱２に取り付けた支点を中心に回動して、扉５はわずかな傾斜状態を保ったまま移動（回動）させ、下端部５ａを上昇させるように移動させる。
【００３９】
さらに、内箱３は降下するが、作動アーム６１ｂには変曲点ｐ２から端部近傍の点ｐ３間の垂直部６１ｂ３では、作動ローラ６１ａは作動アーム６１ｂに当接しているが、これをさらに時計まわり方向に押圧することがなく、上記傾斜部６１ｂ２間での回動以上の作動アーム６１ｂの回動はなく、従って、開閉アーム機構６２の回動もなく、扉５は作動ローラ６１ａが変曲点ｐ２にあるときの、開放状態を保つ。
【００４０】
このように、内箱３が下降範囲の全体の途中、例えば１／３位まで下降したとき、扉５が設定全開状態になるので、受具８上の食器類は内箱３を最下端まで下降させなくても出し入れ可能である。
【００４１】
図２および図３に示すように、作動ローラ６１ａが点ｐ３に達すると、内箱３の降下は完了し、内箱３はその前面が外箱２から全体的に表出する。
【００４２】
このように扉５がわずかな傾斜状態でかつ扉５の下端部５ａが上昇した状態で、使用者は受具８と食器類の出し入れを行なう。従って、食器類の出し入れ時、扉５の下端部５ａが前方へ大きく張出していないので邪魔にならず、さらに、内箱３の上部にある食器類等をよく見ることができて使い勝手のよい。
【００４３】
食器類の出し入れ完了後、再び、操作レバー４ｉ、制御装置４ｊを介してモータ４ａを駆動させて、巻き取りドラム４ｄを回転させ、ベルト４ｂを巻き取り、内箱３を上昇させる。
【００４４】
この上昇過程において、図７に点線で示すように、作動アーム６１ｂのｐ１点で当接する作動ローラ６１ａは、内箱３の上昇に伴って、垂直部６１ｂ３に沿って上昇する。このとき、作動アーム６１ｂはそのままの状態を保つので、開閉アーム機構６２は作動せず、扉５も開放状態を保つ。従って、扉５と前方突出状態の食器類等の収納物とが干渉することがなく、危険の防止が図れるとともに、作動ローラ６１ａと作動用アーム６１ｂが非拘束状態で当接しているので、内箱３の奥行きよりも長い収納物が収納された場合にも、収納物に押されて開閉アーム機構６２と扉５が動き、干渉が緩和され安全である。
【００４５】
さらに、内箱３が上昇して作動ローラ６１ａも上昇するが、作動ローラ６１ａが端部近傍の点ｐ３から変曲点ｐ２間にあるときは、作動アーム６１ｂを反時計回り方向に回動させることなく、開閉アーム機構６２、扉５の回動もなく、扉５は開放状態を保つ。
【００４６】
このように、内箱３が上昇範囲の全体の途中まで上昇したとき、食器類が内箱３から前方に突出していても、内方に押し込むことができる。
【００４７】
内箱３が上昇を継続して、作動ローラ６１ａが上昇し変曲点ｐ２を過ぎ、傾斜部６１ａ２に達すると、作動アーム６１ｂが反時計回り方向に回動し、開閉アーム機構６２が作動して扉５はその自重により反時計周り方向に回動しながら閉じていき、内箱３の上昇が完了して、内箱３の収納が完了すると、作動ローラ６１ａは変曲点ｐ１に達し、扉５は開口を完全に閉塞し、この状態を保つ。
【００４８】
上記のように、内箱３の昇降はモータ４ａによって行なわれるので、内箱３に重量のある収納物が収納されていてもその昇降が容易であり、また、高所に設置するのに適し、さらに、内箱３を昇降する昇降機構４をモータ４ａとベルト４ｂで構成したので、電動に適し、構造が簡単で耐久性もある。
【００４９】
上記のように、本実施形態によれば、モータによる内箱の昇降が可能で、内箱への収納物の出し入れ時、扉が邪魔にならず、さらに、内箱の上部にある収納物をよく見ることができ使い勝手のよい扉付き昇降キャビネットが実現される。
【図面の簡単な説明】
【００５０】
【図１】本発明の一実施形態に係る昇降式食器収納キャビネットの外箱の一部を切り欠いて示す斜視図。
【図２】本発明の一実施形態に係る昇降式食器収納キャビネットの内箱降下状態を示す正面図。
【図３】本発明の一実施形態に係る昇降式食器収納キャビネットの内箱降下状態を示す縦断面図。
【図４】本発明の一実施形態に係る昇降式食器収納キャビネットの内箱上昇状態を示す正面図。
【図５】本発明の一実施形態に係る昇降式食器収納キャビネットの内箱上昇状態を示す縦断面図。
【図６】本発明の一実施形態に係る昇降式食器収納キャビネットに用いられる扉開閉機構の平面図。
【図７】本発明の一実施形態に係る昇降式食器収納キャビネットの内箱の上昇過程を示す正面図。
【図８】本発明の一実施形態に係る昇降式食器収納キャビネットの内箱の降下過程を示す縦断面図。
【図９】本発明の一実施形態に係る昇降式食器収納キャビネットの扉閉塞状態を示す正面図。
【図１０】本発明の一実施形態に係る昇降式食器収納キャビネットの前板部分を示す正面図。
【図１１】本発明の一実施形態に係る昇降式食器収納キャビネットの前板取り付け部分を拡大して示す平面図。
【符号の説明】
【００５１】
１  昇降式食器収納キャビネット
２  外箱
２ｂ  前板
２ｂ１  傾斜面
２ｂ２  前板止め具
２ｂ３  前板止め具受
３  内箱
４  昇降機
４ａ  モータ
４ｂ  ベルト
５  扉
５ａ  下端部
５ｂ  傾斜面
６  扉開閉機構
６１  作動アーム機構
６１ａ  作動ローラ
６１ｂ  作動用アーム
６２  開閉アーム機構
６２ａ  第１の開閉用アーム
６２ｂ  第２の開閉用アーム
【図１】
2006068459.tif 000003
【図２】
2006068459.tif 000004
【図３】
2006068459.tif 000005
【図４】
2006068459.tif 000006
【図５】
2006068459.tif 000007
【図６】
2006068459.tif 000008
【図７】
2006068459.tif 000009
【図８】
2006068459.tif 000010
【図９】
2006068459.tif 000011
【図１０】
2006068459.tif 000012
【図１１】
2006068459.tif 000013